(57)【要約】【課題】改良された又は／又は代替的な圧縮機設備を提供する。【解決手段】圧縮ガス用乾燥装置を有する圧縮機設備であって、乾燥装置（６）は、乾燥ゾーン（８）及び再生ゾーン（１４）を有するハウジング（７）を含み、ハウジング（７）内には、乾燥剤を有するドラム（１３）が回転可能に取り付けられ、圧力ライン（５）は、圧縮ガスが乾燥ゾーン（８）に入る前に圧縮ガスを冷却する熱交換器（１１）を備え、取り出し管（１８）は、熱交換器（１１）の冷却入口（１９）に接続される排出ライン（１７）に接続され、一方で、熱交換器（１１）は、再生ゾーン（１４）の入口（１５）に接続される冷却出口（２０）をさらに備え、再生ゾーン（１４）の出口（１６）は、圧力ライン（５）に接続される。【選択図】図１
2018069235.tif 000002
【特許請求の範囲】
【請求項１】
圧縮ガス用乾燥装置（６）を有する圧縮機設備（１）において、
前記圧縮機設備（１）は、圧力ライン（５）の第１の端部が接続される圧縮ガス用出口（４）を有する圧縮機要素（２ａ及び／又は２ｂ）を備え、
前記乾燥装置（６）は、乾燥される圧縮ガス用の第１の入口（９）を有する乾燥ゾーン（８）を内部に含むハウジング（７）を備え、前記第１の入口（９）に対して前記圧力ライン（５）の第２の端部が接続されて、前記圧縮機要素（２ａ及び／又は２ｂ）から発生する圧縮ガスの全流量が前記乾燥ゾーン（８）に移送されるようになっており、
前記乾燥ゾーン（８）は、排出ライン（１７）が接続される乾燥圧縮ガス用の第１の出口（１０）をさらに備え、
前記ハウジング（７）内には、再生ガス供給用の第２の入口（１５）と、前記再生ガス排出用の第２の出口（１６）とを有する再生ゾーン（１４）がさらに設けられ、
前記乾燥装置（６）の前記ハウジング（７）内には、さらに乾燥剤を収容するドラム（１３）が回転可能に取り付けられ、前記ドラム（１３）は駆動手段に連結され、前記乾燥剤は前記乾燥ゾーン（８）及び前記再生ゾーン（１４）を連続的に進むことができるようになっており、
前記圧力ライン（５）は、前記圧縮ガスが前記乾燥ゾーン（８）に入る前に前記圧縮ガスを冷却する熱交換器（１１）を含む、圧縮機設備であって、
前記排出ライン（１７）上には、前記熱交換器（１１）の冷却入口（９）に接続される第１の取り出し管（１８）が接続され、一方で、前記熱交換器（１１）は、前記再生ゾーン（１４）の前記第２の入口（１５）に第２の再生ライン（２１）を介して接続される冷却出口（２０）をさらに備え、一方で、前記再生ゾーン（１４）の前記第２の出口（１６）は、前記熱交換器（１１）の下流側の箇所で戻りライン（２２）を介して前記圧力ライン（５）に接続される、圧縮機設備。
【請求項２】
前記圧力ライン（５）の前記熱交換器（１１）は、前記圧縮機要素（２ａ、２ｂ、２ｃ）の下流側で、前記圧力ライン（５）に同様に設けられる後部冷却器（１２）の上流側の位置に設けられる、請求項１に記載の圧縮機設備。
【請求項３】
前記戻りライン（２２）には冷却器が設けられていない、請求項２に記載の圧縮機設備。
【請求項４】
前記戻りライン（２２）は、前記圧力ライン（５）に取り付けられたベンチュリ（２４）の吸込口（２５）に接続する、請求項１〜３のいずれかに記載の圧縮機設備。
【請求項５】
前記戻りライン（２２）には、前記使用済み再生ガスを、前記圧力ライン（５）内の乾燥させるための前記ガスと合流させるための送風機が設けられる、請求項１〜３のいずれかに記載の圧縮機設備。
【請求項６】
前記熱交換器（１１）は、前記ベンチュリ（２４）の上流側に設けられる、請求項４に記載の圧縮機設備。
【請求項７】
前記後部冷却器（１２）は、前記ベンチュリ（２４）の下流側かつ前記乾燥ゾーン（８）の前記入口（９）の上流側に設けられる、請求項２及び６に記載の圧縮機設備。
【請求項８】
前記後部冷却器（１２）は、前記ベンチュリ（２４）の上流側かつ前記熱交換器（１１）の下流側に設けられる、請求項２及び６に記載の圧縮機設備。
【請求項９】
前記熱交換器（１１）は、２つの部分で構成され、第１の回収部分（１０３ａ）及び第２の冷却部分（１３３ａ）である、請求項１〜８の１又は２以上に記載の圧縮機設備。
【請求項１０】
前記熱交換器は、直列に接続された２つの圧縮機要素（２ａ、２ｂ、２ｃ）の間で、前記乾燥される圧縮ガスの流量に応じて取り付けられる、中間冷却器（１０３、１０３’）である、請求項９に記載の圧縮機設備。
【請求項１１】
圧縮機要素（２ａ、２ｂ、２ｃ）から発生する圧縮ガスを乾燥させる方法において、乾燥されるガスの全流量が移送される乾燥ゾーン（８）が配置されるハウジング（７）を備える乾燥装置（６）が利用され、
前記ハウジング（７）内には、再生ガスが同時に移送される再生ゾーン（１４）がさらに設けられ、
乾燥剤は、前記乾燥ゾーン（８）及び前記再生ゾーン（１４）を連続的に進み、
前記乾燥される圧縮ガスは、前記乾燥ゾーンに入る前に熱交換器（１１）の一次部分において冷却される、前記方法であって、
前記乾燥圧縮ガスの一部は、前記乾燥ゾーン（８）の出口で分岐され、その後、前記熱交換器（１１）の二次部分を通って案内され、前記再生ゾーン（１４）の入口に案内される前に加熱されて、その中で再生ガスとして機能するようになっている、方法。
【請求項１２】
前記分岐された乾燥ガスは、複数の熱交換器（１０３、１０３’、１１）の二次部分を通って並列に案内され、前記熱交換器（１０３、１０３’、１１）の各々は、直列に接続された一連の少なくとも２つの圧縮機要素（２ａ、２ｂ、２ｃ）のうちの１つの圧縮機要素（２ａ、２ｂ、２ｃ）の前記出口に接続される一次部分を備える、請求項１１に記載の方法。
【請求項１３】
前記乾燥ガスの分岐部分は、冷却部分（１３３ａ）を有する二部式熱交換器（１０３、１０３’）の回収部分（１０３ａ）の二次部分を通って案内される、請求項１１又は１２に記載の方法。
【請求項１４】
別個の冷却流が、前記冷却部分（１３３ａ）の二次部分を通って案内される、請求項１３に記載の方法。
【発明の詳細な説明】
【技術分野】
【０００１】
本発明は、圧縮ガス用乾燥装置を有する圧縮機設備に関する。
【背景技術】
【０００２】
圧縮機設備は、圧力ラインの第１の端部が接続される圧縮ガス用出口を有する圧縮機要素を備え、乾燥装置は、乾燥される圧縮ガス用の第１の入口を有する乾燥ゾーンを内部に含むハウジングを備え、第１の入口に対して圧力ラインの第２の端部が接続されて、圧縮機要素から発生する圧縮ガスの全流量が乾燥ゾーンに移送されるようになっており、乾燥ゾーンは、排出ラインが接続される乾燥圧縮ガス用の第１の出口をさらに備え、ハウジング内には、再生ガス供給用の第２の入口と、再生ガス排出用の第２の出口とを有する再生ゾーンがさらに設けられ、乾燥装置のハウジング内には、さらに乾燥剤を収容するドラムが回転可能に取り付けられ、ドラムは駆動手段に連結され、乾燥剤は乾燥ゾーン及び再生ゾーンを連続的に進むことができるようになっており、圧力ラインは、圧縮ガスが乾燥ゾーンに入る前に圧縮ガスを冷却する熱交換器を含む。
【０００３】
乾燥装置を備えた公知の圧縮機設備の欠点は、乾燥させるガスの温度をドラム内の効率的な乾燥を実現するために十分に低くするために、大きな冷却能力を必要とする点である。
【０００４】
乾燥剤を収容する回転可能なデシカントドラムを有する圧縮ガス用乾燥機は公知であり、例えば、国際公開第０１／８７４６３号、国際公開第０２／３８２５１号、国際公開第２００７／０７９５５３号、米国特許第５，３８５，６０３号、及び米国特許第８，３４９，０５４号に説明されている。
【先行技術文献】
【特許文献】
【０００５】
【特許文献１】国際公開第０１／８７４６３号明細書
【特許文献２】国際公開第０２／３８２５１号明細書
【特許文献３】国際公開第２００７／０７９５５３号明細書
【特許文献４】米国特許第５，３８５，６０３号明細書
【特許文献５】米国特許第８，３４９，０５４号明細書
【発明の概要】
【発明が解決しようとする課題】
【０００６】
本発明の目的は、改良された及び／又は代替的な圧縮機設備を提供することである。
【課題を解決するための手段】
【０００７】
この目的を達成するために、本発明は、圧縮ガス用乾燥装置を有する圧縮機設備に関し、圧縮機設備は、圧力ラインの第１の端部が接続される圧縮ガス用出口を有する圧縮機要素を備え、乾燥装置は、乾燥される圧縮ガス用の第１の入口を有する乾燥ゾーンを内部に含むハウジングを備え、第１の入口に対して圧力ラインの第２の端部が接続されて、圧縮機要素から発生する圧縮ガスの全流量が乾燥ゾーンに移送されるようになっており、乾燥ゾーンは、排出ラインが接続される乾燥圧縮ガス用の第１の出口をさらに備え、ハウジング内には、再生ガス供給用の第２の入口と再生ガス排出用の第２の出口とを有する再生ゾーンがさらに設けられ、乾燥装置のハウジング内には、さらに乾燥剤を収容するドラムが回転可能に取り付けられ、ドラムは駆動手段に連結され、乾燥剤は乾燥ゾーン及び再生ゾーンを連続的に進むことができるようになっており、圧力ラインは、圧縮ガスが乾燥ゾーンに入る前に圧縮ガスを冷却する熱交換器を含み、本発明によれば、排出ライン上には、熱交換器の冷却入口に接続される第１の取り出し管が接続され、一方で、熱交換器は、再生ゾーンの第２の入口に第２の再生ラインを介して接続される冷却出口をさらに備え、一方で、再生ゾーンの第２の出口は、熱交換器の下流側の箇所で戻りラインを介して圧力ラインに接続される。
【０００８】
本発明による圧縮機設備の重要な利点は、ドラム内の乾燥剤の再生のために、乾燥ゾーンの下流側で分岐される乾燥済みにガスの一部が利用され、また、ガスのこの部分は、圧縮熱を利用することによって省エネルギー的に加熱され、再生ガスの相対湿度は、非常に低くなり、一方で、圧縮機設備はまた、排出された圧縮熱を熱交換器で有効に利用することによって、高エネルギー効率で作動する。実際、このようにして、冷却能力の節減が行われ、乾燥剤の非常に良好な再生のために、再生ガスの十分に低に相対湿度を実現するための発熱体を設ける必要はない。
【０００９】
また、本発明は、圧縮機要素から発生する圧縮ガスを乾燥させる方法に関し、乾燥されるガスの全流量が移送される乾燥ゾーンが配置されるハウジングを備える乾燥装置が利用され、ハウジング内には、再生ガスが同時に移送される再生ゾーンがさらに設けられ、乾燥剤は、乾燥ゾーン及び再生ゾーンを連続的に進み、乾燥される圧縮ガスは、乾燥ゾーンに入る前に熱交換器の一次部分において冷却され、本発明によれば、乾燥圧縮ガスの一部は、前記乾燥ゾーンの出口で分岐され、その後、熱交換器の二次部分を通って案内され、再生ゾーンの入口に案内される前に加熱されて、その中で再生ガスとして機能するようになっている。
【００１０】
本発明による方法の特有の変形例によれば、分岐された乾燥ガスは、複数の熱交換器の二次部分を通って並列に案内され、熱交換器の各々は、直列に接続された一連の少なくとも２つの圧縮機要素のうちの１つの圧縮機要素の出口に接続される一次部分を備える。本発明は、全ての形式の熱交換器を使用することができ、また、例えば、熱交換器は、圧縮機要素の出口に連結される一次部分を備えなくてもよいので、前記のものに限定されるものではない。また、熱交換器の組み合わせも可能であり、１又は２以上は、圧縮機要素の出口に連結された一次部分を有するが、このような連結部を有していない熱交換器も存在する。
【００１１】
本発明の特徴をより良く示す目的で、例として、非制限的に、添付図面を参照して本発明による圧縮機設備並びに本発明による圧縮ガスを乾燥させる方法の一部の好適な実施形態を説明する。
【図面の簡単な説明】
【００１２】
【図１】本発明による圧縮機設備の実施形態を概略的に示す。
【図２】本発明による圧縮機設備の異なる実施形態を概略的に示す。
【図３】本発明による圧縮機設備の異なる実施形態を概略的に示す。
【図４】図２の中間冷却器を拡大して概略的に示す。
【発明を実施するための形態】
【００１３】
図１は、本発明による圧縮機設備１の第１の実施形態を示し、この場合２つの圧縮機要素２ａ及び２ｂを備える、しかしながら、本発明は、これに限定されるものではなく、本発明による圧縮機設備１は、１つの、又は２つの圧縮機要素２ａ及び２ｂよりも多くの圧縮機要素を備えることもできる。
【００１４】
圧縮機要素２ａ及び２ｂは、図示されていない例えば１又は２以上のモータ、タービン、スプロケットなどの形態の駆動手段に連結されている。
【００１５】
この場合、圧縮機要素２ａ及び２ｂは、第１の低圧段２ａと、その下流側の第２の高圧段２ｂとを形成する。好ましくは、中間冷却器３が、関連の圧縮機要素２ａと２ｂとの間の接続ラインに設けられている。
【００１６】
高圧圧縮機要素２ｂは、圧縮ガス用出口４を備え、これに対して圧力ライン５の第１の端部が接続される。
【００１７】
本発明による圧縮機設備１は、圧縮ガス用乾燥装置６をさらに備え、乾燥装置６は、ハウジング７を備え、ハウジング７内には、乾燥ゾーン８が配置されており、典型的にはハウジング７の反対端において、乾燥される圧縮ガス用の第１の入口９と、乾燥された圧縮ガス用の第１の出口１０とを有する。
【００１８】
上記圧力ライン５の第２の端部は、乾燥される圧縮ガス用の上記第１の入口９に接続される。
【００１９】
上記圧力ライン５は、高圧圧縮機要素２ｂから乾燥ゾーン８の第１の入口９まで流れる圧縮ガスを冷却する熱交換器１１を含む。前述の熱交換器１１の構成は、高圧圧縮機要素２ｂから生じる圧縮ガスが乾燥ゾーン８に入る前に冷却されるようなものである。
【００２０】
この場合、必須ではないが、圧力ライン５は、さらに後部冷却器１２を備え、後部冷却器１２は、好ましくは、この熱交換器１１の下流側に、つまり、圧縮ガスの流れ方向に従って、この熱交換器１１と乾燥ゾーンの第１の入口９との間に取り付けられている。
【００２１】
乾燥装置６の上記ハウジング７において、ドラム１３は、公知の方法で回転可能に取り付けられ、ドラム１３は、例えば、電気モータの形式のこのドラム１３をハウジング７の中で回転させる駆動手段（図示せず）に連結される。関連のドラム７は、シリカゲル、活性アルミナ粒子、又はモレキュラーシーブ材料、もしくはこれらを組み合わせたもの等の再生可能な乾燥剤、いわゆるデシカント材を収容する。明らかに、乾燥剤は、他の形態で実現することもできる。
【００２２】
また、上記乾燥ゾーン８の他に、乾燥装置６のハウジング７内には少なくとも再生ゾーン１４が存在する。
【００２３】
ドラム１３は、回転に伴って乾燥剤が上記乾燥ゾーン８及び再生ゾーン１４を連続的に進むことができるように公知の方法で構成される。
【００２４】
上記再生ゾーン１４は、再生ガス供給用の第２の入口１５と、使用済み再生ガス排出用の反対側の第２の出口１６とを備える。使用済み再生ガスは、再生ゾーン１４を通過した後、乾燥剤から抽出された水分で汚染されているガスを意味することが理解される。
【００２５】
排出ライン１７は、乾燥ゾーン８の上記第１の出口１０に接続されており、乾燥した圧縮ガスを、例えば、圧縮空気ネットワーク、圧力容器、もしくは圧縮ガスを使用する機械又は設備の形式のユーザ（図示せず）に移動させるようになっている。
【００２６】
本発明によれば、上記排出ライン１７には第１の取り出し管１８が接続されており、第１の取り出し管１８は、上記熱交換器１１の冷却入口１９に接続され、一方で、上記熱交換器１１は、第２の再生ライン２１を介して再生ゾーン１４の上記第２の入口１５に接続された冷却出口２０をさらに備える。
【００２７】
関連の冷却入口１９及び冷却出口２０は、この場合、熱交換器１１の二次部分の一部を成し、熱交換器１１の一次部分は、乾燥される圧縮ガスがここを通って案内されるように構成される。
【００２８】
再生ゾーン１４の第２の出口１６は、上記熱交換器１１の下流側の地点で、この場合は後部冷却器１２を乾燥ゾーン８の第１の入口９に接続する圧力ライン５の部分上で、戻りライン２２によって上記圧力ライン５に接続される。
【００２９】
また、この実施例において、戻りライン２２は、追加的な冷却器２３と、場合によっては、冷却器２３の冷却部分と同じハウジング内に収納されるか又は収容されない場合もある、図１では不可視の凝縮液分離器とを有する。
【００３０】
図１の実施例において、戻りライン２２と圧力ライン５との接続は、ベンチュリ２４によって実現され、ベンチュリ２４は、圧力ライン５に取り付けられ、上記戻りライン２２が接続される吸込口２５を備えている。
【００３１】
図１による圧縮機設備１の動作は、非常に単純であり、以下の通りである。
【００３２】
低圧段２ａは、空気などの圧縮されるガス又は混合ガスを吸い込む。その後、発生した圧縮熱の一部が、中間冷却器３によって放出される。
【００３３】
圧縮ガスは、中間冷却器３を出た後、高圧段２ｂに流れ、圧縮ガスは、さらに圧縮され、その後、熱交換器１１の一次部分に流れる。少なくとも部分的にガス−ガス熱交換器として機能する関連の熱交換器１１において、圧縮熱は、冷却入口１９を通って熱交換器１１に入り、冷却出口２０を通ってやはり熱交換器から出るガスに伝達される。
【００３４】
熱交換器１１は、圧力ライン５を通過するガスが、熱交換器１１の二次側を通って冷却ガスとして案内されるガスと混合しないように作られていることは明らかである。この場合、熱交換器１１は、ここを通過する両方のガス流が反対方向に流れるように構成されているが、これは本発明では必須ではない。
【００３５】
熱交換器１１を出てさらに圧力ライン５を通過する予冷却された圧縮ガスは、その後、後部冷却器に到達し、このガス流のさらなる冷却が行われる。
【００３６】
その後、低温の圧縮ガスは、ベンチュリ２４及び第１の入口９を通過し、乾燥ゾーン８を通り、ガスに含有される水分は、その時点で乾燥ゾーン８に存在する、ドラム１３内の乾燥剤によって吸収される。
【００３７】
その後、低温の乾燥した圧縮ガスは、第１の出口１０を通って乾燥ゾーン８を出て、排出ライン１７を通って圧縮ガスのユーザへ流れる。
【００３８】
本発明によれば、低温の乾燥した圧縮ガスの一部は、排出ライン１７から分岐され、その後、第１の取り出し管１８を通って熱交換器１１の二次部分に導かれ、詳細には、上記冷却入口１９に導かれ、そこで冷却媒体として機能する。
【００３９】
ガスが冷却出口２０を出る場合、温度は、高圧圧縮機要素２ｂ内で発生した圧縮熱の吸収によって高くなる。その結果として、取り出し管１８を通る分岐されたガスの相対湿度は、非常に高いエネルギー効率でさらに減少することになる。
【００４０】
再生ライン２１を通過する余分な乾燥ガスは、最終的に第２の入口１５を通って再生ゾーン１４に案内され、このガスは、その時点で再生ゾーン１４に存在する乾燥剤から水分を抽出することになる再生ガスとして機能する。
【００４１】
再生ガスは、第２の出口１６を通って再生ゾーン１４を出た後、追加的な冷却器２３と、場合によっては下流側の凝縮液分離器とを通過してベンチュリ２４の吸込口２５まで流れ、凝縮液分離器は、必須ではないが冷却器２３と同じハウジング内で一体化することができる。
【００４２】
本発明によれば、ベンチュリの存在は必須ではないが、例えば、再生ゾーン１４から出る再生ガスを、圧力ライン５を通って熱交換器１１から乾燥ゾーン８へ流れる暖かい圧縮ガスの流れと合流させる送風機を利用することもできる。
【００４３】
図２は、本発明による圧縮機設備１の変形例を示し、直列に取り付けられた圧縮機要素２ａ、２ｂ及び２ｃを備える３段式機械の形態である。
【００４４】
第１の低圧段２ａと第２の圧力段２ｂとの間には第１の中間冷却器１０３があり、一方で、第２の圧力段２ｂと第３の高圧段２ｃとの間には第２の中間冷却器１０３'がある。
【００４５】
図１の実施形態の場合と同様に、第３の高圧段２ｃの下流側において、熱交換器１１は、直列に接続された後部冷却器１２を備えている。
【００４６】
図４により詳細に示すように、この実施例において、中間冷却器１０３及び１０３'は、第１の回収部分１０３ａ及び第２の冷却部分１３３ａの２つの部分で実現される。
【００４７】
個別の回収部分１０３ａの各々は、一次部分と二次部分とを有し、一次部分は、関連の中間冷却器１０３又は１０３'の直上流に配置された圧縮機要素２ａ又は２ｂから生じる、乾燥される圧縮空気用の流路を備え、一方で、二次部分は、冷却入口１９ａと冷却出口２０ａとを有する冷却路を備える。
【００４８】
この実施形態において、第１の取り出し管１８は、熱交換器１１の冷却入口１９に接続されているだけではなく、中間冷却器１０３及び１０３'のそれぞれの冷却入口１９ａにも並列である。
【００４９】
同様に、冷却出口２０ａは、熱交換器１１の冷却出口２０と共に第２の再生ライン２１に接続されている。
【００５０】
また、中間冷却器１０３及び１０３'の第２の冷却部分１３３ａは、一次部分及び二部分を備え、一次部分は、乾燥される圧縮空気用の流路を備え、一方で、二次部分は冷却路を備え、冷却流体は、必須ではないが、好ましくは、乾燥される圧縮ガスのガス流の向流としてこの冷却路を通して導くことができる。
【００５１】
冷却流体は、水又は油などの液体、もしくはガス又は空気などの混合ガスとすることができる。
【００５２】
この場合、回収部分１０３ａ及び冷却部分１３３ａは、共用ハウジングに納められているが、これらは、互いに分離して別個の構成要素として実現することもできる。また、本発明によれば、中間冷却器１０３及び１０３'の両方が取り出し管１８又は再生ライン２１に接続するが、これらの中間冷却器１０３又は１０３'の一方のみが関連のライン１８及び２１に接続することも可能である。
【００５３】
このような変形例では、１又は２以上の中間冷却器１０３及び／又は１０３'の第２の冷却部分を省略することができる。
【００５４】
図２に示す実施形態の機能は、図１の圧縮機設備１の機能と本質的に同様のものであり、最も重要な相違点は、低圧段２ａ及び２ｂからの圧縮熱を、再生に使用されるガスの相対湿度をさらに下げるために利用できる点であり、その理由は、この再生ガスが、それぞれ中間冷却器１０３、１０３'の回収部分１０３ａにおける冷却剤として作用して、圧縮熱を吸収することになるからである。
【００５５】
第２の冷却部分１３３ａは、一次部分を通過した後に圧縮ガスに依然として存在する余分な圧縮熱を確実に排出することができ、後続の下流側圧縮段において良好な圧縮効率を達成するようになっている。
【００５６】
残存する熱は、例えば、清浄水の加熱などの他の目的に利用することができる。
【００５７】
図３は、本発明による圧縮機設備１の別の実施形態を示し、この場合、直列に接続された３つの圧縮機要素２ａ、２ｂ、及び２ｃが設けられている。この実施形態において、戻りライン２２と圧力ライン５との間の接続部は、熱交換器１１の下流側かつ後部冷却器１２の上流側の位置に設けられている。このようにして、追加的な冷却器を戻りライン２２に設ける必要がないので、コストを抑えることができる。
【００５８】
各図面には示されていないが、乾燥装置６のハウジング７内には、上記乾燥ゾーン８及び再生ゾーン１４の他に、冷却ゾーンを設けることもできる。このような場合、公知の方法で、乾燥ゾーン８の第１の出口１０の乾燥ガスの一部は、この冷却ゾーンを通過し、その結果、その時点で上記冷却ゾーンに存在する乾燥剤を冷却するように分流することができる。
【００５９】
本発明は、実施例として記載されて図面に示す実施形態に限定されるものではないが、圧縮ガスを乾燥させる乾燥装置を有する本発明による圧縮機設備は、本発明の範囲から逸脱することなく、様々な変形例で実現することができる。同様に、本発明による圧縮ガスを乾燥させる方法は、上述した変形例に限定されず、本発明の範囲から逸脱することなく、様々な変形例で実現することができる。
【符号の説明】
【００６０】
１  圧縮機設備
２ａ  圧縮機要素
２ｂ  圧縮機要素
４  圧縮ガス用出口
５  圧力ライン
６  圧縮ガス用乾燥装置
７  ハウジング
８  乾燥ゾーン
９  第１の入口
１０  第１の出口
１１  熱交換器
１３  ドラム
１４  再生ゾーン
１５  第２の入口
１６  第２の出口
１７  排出ライン
１８  第１の取り出し管
２０  冷却出口
２１  第２の再生ライン
２２  戻りライン
【図１】
2018069235.tif 000003
【図２】
2018069235.tif 000004
【図３】
2018069235.tif 000005
【図４】
2018069235.tif 000006